(57)【要約】【課題】省配線で電源装置に停電検出機能を持たせられるようにし、更に、ユーザの要求に応じて、停電として検出すべき検出電圧や検出時間を任意に設定できるようにする。【解決手段】電源ユニット１〜３と停電検出ユニット４とを、交流出力側コネクタ１６Ｂ−１、１６Ｂ−２と検出コネクタ２３Ａ−１，２３Ａ−２とで結合し、電源ユニット３からの交流入力の停電を検出するようにし、しかも、停電検出回路１１の検出すべき所定電圧を、電圧調整ボリウム８によって可変設定できるようにしている。【選択図】  図２
2004173333.tif 000002
【特許請求の範囲】
【請求項１】
複数の電源ユニットが互いの電源コネクタを介して縦続接続可能である前記電源ユニットに接続可能な停電検出ユニットであって、
前記電源コネクタに接続可能な検出コネクタと、前記検出コネクタから入力される交流入力に基づいて、停電状態を検出する停電検出手段とを備えることを特徴とする停電検出ユニット。
【請求項２】
前記停電検出手段は、前記交流入力を直流に変換する電源回路と、この電源回路からの直流電圧が所定電圧以下になったことを検出して出力する停電検出回路と、この停電検出回路の出力から所定時間経過後に出力する時限回路とを含む請求項１記載の停電検出ユニット。
【請求項３】
前記所定電圧を可変設定するための電圧設定手段および前記所定時間を可変設定するための時間設定手段の少なくともいずれか一方を備える請求項２記載の停電検出ユニット。
【請求項４】
可変設定される前記所定電圧および前記所定時間の少なくともいずか一方を表示する表示手段を備える請求項３記載の停電検出ユニット。
【請求項５】
前記電源ユニットは、外部からの交流が入力される交流入力バスラインと、交流入力を直流出力に変換して直流出力バスラインに出力する電源回路と、前記交流入力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続されるものである請求項１〜４のいずれかに記載の停電検出ユニット。
【請求項６】
電源ユニットと停電検出ユニットとを含み、
前記電源ユニットは、外部からの交流が入力される交流入力バスラインと、交流入力を直流出力に変換して直流出力バスラインに出力する電源回路と、前記交流入力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続可能であり、
前記停電検出ユニットは、前記電源コネクタに接続可能な検出コネクタと、前記検出コネクタから入力される交流入力に基づいて、停電状態を検出する停電検出手段とを備えることを特徴とする電源装置。
【請求項７】
前記停電検出手段は、前記交流入力を直流に変換する電源回路と、この電源回路からの直流電圧が所定電圧以下になったことを検出して出力する停電検出回路と、この停電検出回路の出力から所定時間経過後に出力する時限回路とを含む請求項１記載の電源装置。
【発明の詳細な説明】
【０００１】
【発明の属する技術分野】
本発明は、停電を検出する停電検出ユニットに関し、更に詳しくは、電源装置と併用して停電を検出するのに好適な停電検出ユニットおよびこれを含む電源装置に関する。
【０００２】
【従来の技術】
現在のスイッチング電源等においては、工場の各種機械設備等に多用されており、その種類も各種であり、同一出力電圧であっても電源容量（出力Ｗ）が異なる複数の電源シリーズが使用されている現状となっている。このような電源の使用現状において、メーカー側にとっては、例えば同一出力電圧の電源シリーズとして異なる容量のものを個別に開発製造し、また、シリーズ毎にもそれぞれの容量に対応したものを個別に開発製造して、それらをユーザー側に販売提供している。
【０００３】
しかしながら、同一シリーズであっても容量が異なると、それぞれの容量に対応して回路基板構成やトランスの配置やその他を新たに開発設計する必要があってそれぞれに開発コストがかかる分、電源の販売価格に影響することが余儀なくされる。
【０００４】
また、それらシリーズの電源を購入して使用するユーザーにとっても同一シリーズであっても使用負荷などの各種用途に応じてそのシリーズ内の各種電源を個別に購入する必要があり電源台数も増え、購入コストがかかる、などの不具合があることも指摘されている。
【０００５】
そこで、本件出願人は、同一シリーズ内において或る容量の電源ユニットをモジュール化し、このモジュール化された電源ユニットを任意の台数で増減組み合わせ可能として任意の容量の電源を得られるようにすれば、メーカーにとっては或る容量を有する電源ユニットの開発コストだけですみ、また、ユーザーにとっては用途に応じてその容量を有する電源ユニットを一つ、あるいは、複数、安価に購入して使用できるものとなるという提案をした（特許文献１参照）。
【０００６】
かかる提案に基づく電源装置の一例が、図１３および図１４に示されている。この電源装置は、モジュール化された電源ユニット６１の一つあるいは複数をＤＩＮレール６２に並列して装着支持するようになっており、電源ユニット６１単体に、交流入力端子６３、直流出力端子６４、交流入力を直流出力に変換する電源回路６５、交流入力側のバスラインＬ（ｉ）、直流出力側のバスラインＬ（ｏ）、などが装備されている。そして、複数の電源ユニット６１を並列して接続するとともに、端部の電源ユニット６１を、交流電源に接続することにより、共通の交流入力が交流入力側のバスラインＬ（ｉ）を介して各電源ユニット６１に供給されるとともに、直流出力が直流出力側のバスラインＬ（ｏ）を介して並列に接続されるようになっている。
【０００７】
このようにモジュール化された電源装置によれば、複数の電源ユニット６１を増設することによって、電源容量を任意に拡張することができ、これによって、同一出力電圧で異なる電源容量の電源を個別に開発する必要がなくなるものとなる。
【０００８】
【特許文献１】
特開２００２−５８２４６号公報
【０００９】
【発明が解決しようとする課題】
このような電源装置では、交流電源の停電を検出する機能を備えておらず、停電検出機能を必要とするユーザは、別途、停電検出器を準備して電源装置と配線しなければならず面倒である。
【００１０】
さらに、ユーザによって、停電として検出すべき検出電圧あるいは検出時間（前記検出電圧以下の状態の継続時間であって停電として検出すべき時間）が相違し、これらユーザの要求に対応できる停電検出器が望まれている。
【００１１】
本発明は、このような点に着目してなされたものであって、省配線で電源装置に停電検出機能を持たせられるようにすることを主たる目的とし、更には、ユーザの要求に応じて、停電として検出すべき検出電圧や検出時間を任意に設定できるようにすることを目的とする。
【００１２】
【課題を解決するための手段】
本発明では、上述の目的を達成するために、次のように構成している。
【００１３】
すなわち、本発明の停電検出ユニットは、複数の電源ユニットが互いの電源コネクタを介して縦続接続可能である前記電源ユニットに接続可能な停電検出ユニットであって、前記電源コネクタに接続可能な検出コネクタと、前記検出コネクタから入力される交流入力に基づいて、停電状態を検出する停電検出手段とを備えている。
【００１４】
ここで、前記電源コネクタと前記検出ユニット側コネクタとの結合は、相互に直接結合する構成であってもよく、あるいは、別のコネクタを介在させて結合する構成であってもよい。
【００１５】
電源ユニットは、その複数台が縦続接続可能であるが、１台であってもよい。
【００１６】
本発明によると、電源ユニットの複数が、互いの電源コネクタを介して縦続接続可能な前記電源ユニットの電源コネクタに、当該停電検出ユニットの検出コネクタを接続することにより、該検出コネクタを介して電源ユニットから交流が入力されることになり、この直流入力から停電状態を検出して出力するので、電源ユニット同士の電源コネクタによる接続と同様に、当該検出ユニットをコネクタで接続することにより、省配線で電源装置の交流入力の停電状態を検出できることになる。
【００１７】
本発明の一実施態様においては、前記停電検出手段は、前記交流入力を直流に変換する電源回路と、この電源回路からの直流電圧が所定電圧以下になったことを検出して出力する停電検出回路と、この停電検出回路の出力から所定時間経過後に出力する時限回路とを含むものである。
【００１８】
本発明によると、停電検出回路によって、停電として検出すべき所定電圧を設定できるとともに、時限回路によって、停電として検出すべき電圧低下の継続時間である所定時間を設定できることになる。
【００１９】
本発明の他の実施態様においては、前記所定電圧を可変設定するための電圧設定手段および前記所定時間を可変設定するための時間設定手段の少なくともいずれか一方を備えている。
【００２０】
ここで、電圧設定手段あるいは時間設定手段は、操作に応じて検出電圧あるいは所定時間を可変設定できるものであり、例えば、ボリウム（可変抵抗器）やキースイッチなどからなる。
【００２１】
本発明によると、電圧設定手段あるいは時間設定手段によって、停電検出回路で停電として検出すべき所定電圧あるいは時限回路で停電として検出すべき電圧低下の継続時間である所定時間を可変設定できることになり、ユーザの要求に応じた停電検出が可能となる。
【００２２】
本発明の好ましい実施態様においては、可変設定される前記所定電圧および前記所定時間の少なくともいずか一方を表示する表示手段を備えている。
【００２３】
ここで、表示手段は、所定電圧や所定時間の設定値を、例えば、ＬＥＤ表示器や液晶表示器などで表示するものである。この表示手段による表示は、所定電圧や所定時間を同時に表示するものであってもよいし、切換え表示するものであってもよい。
【００２４】
本発明によると、表示手段で設定値を確認しながら所定電圧や所定時間を設定できることになる。
【００２５】
本発明の他の実施態様においては、前記電源ユニットは、外部からの交流が入力される交流入力バスラインと、交流入力を直流出力に変換して直流出力バスラインに出力する電源回路と、前記交流入力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続されるものである。
【００２６】
本発明によると、電源ユニットの複数が、入力側の電源コネクタと、他の電源ユニットの出力側の電源コネクタとを結合することによって縦続接続される電源ユニットの電源コネクタに、当該停電検出ユニットの検出コネクタを接続することにより、電源ユニットの交流入力バスラインが当該停電検出ユニットに接続されることになり、この接続された交流入力バスラインからの交流入力の停電状態を検出できることになり、電源ユニット同士のコネクタによる接続と同様に、当該停電検出ユニットをコネクタで接続することにより、省配線で電源装置の交流入力の停電を検出できることになる。
【００２７】
本発明の電源装置は、電源ユニットと停電検出ユニットとを含み、  前記電源ユニットは、外部からの交流が入力される交流入力バスラインと、交流入力を直流出力に変換して直流出力バスラインに出力する電源回路と、前記交流入力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続可能であり、前記停電検出ユニットは、前記電源コネクタに接続可能な検出コネクタと、前記検出コネクタから入力される交流入力に基づいて、停電状態を検出する停電検出手段とを備えている。
【００２８】
本発明によると、電源ユニットの複数が、互いの電源コネクタを介して縦続接続可能な前記電源ユニットの電源コネクタに、当該停電検出ユニットの検出コネクタを接続することにより、該検出コネクタを介して電源ユニットから交流が入力されることになり、この直流入力から停電状態を検出して出力するので、電源ユニット同士の電源コネクタによる接続と同様に、当該検出ユニットをコネクタで接続することにより、省配線で電源装置の交流入力の停電状態を検出できることになる。
【００２９】
本発明の一実施態様においては、前記停電検出手段は、前記交流入力を直流に変換する電源回路と、この電源回路からの直流電圧が所定電圧以下になったことを検出して出力する停電検出回路と、この停電検出回路の出力から所定時間経過後に出力する時限回路とを含んでいる。
【００３０】
本発明によると、停電検出回路によって、停電として検出すべき所定電圧を設定できるとともに、時限回路によって、停電として検出すべき電圧低下の継続時間である所定時間を設定できることになる。
【００３１】
【発明の実施の形態】
以下、図面によって本発明の実施の形態について詳細に説明する。
【００３２】
（実施の形態１）
図１は本発明に係る停電検出ユニット４および電源ユニット１〜３からなる電源装置の正面図であり、図２は、その接続構成を示す図である。
【００３３】
これらの図において、１は第１の電源ユニット、２は第２の電源ユニット、３は第３の電源ユニット、４は停電検出ユニットである。そして、第１の電源ユニット１と第２の電源ユニット２及び第２の電源ユニット２と第３の電源ユニット３とは、それぞれが内有するバスラインをコネクタ接続されてモジュール電源を構成している。
【００３４】
なお、モジュール電源は上記したような３台の電源ユニット１〜３に限らず、１台の電源ユニットあるいは複数台の電源ユニットを、それぞれが内有するバスラインをコネクタ接続することで構成されるものである。
【００３５】
各電源ユニット１〜３は、正面パネル形状が縦長の長方形状をなした直方体形状のケーシングに所要の電源回路用部品を内蔵した、例えば、１００〜２４０ＶＡＣ入力、２４ＶＤＣ出力、２．５Ａ、６０Ｗ出力用のスイッチング電源である。
【００３６】
そして、第１〜第３の電源ユニット１〜３には、電源回路９と、交流入力端子５−１，５−２と、直流出力端子６−１，６−２と、交流入力バスライン（Ｖｉｎ＋）、（Ｖｉｎ−）と、直流出力バスライン（Ｖｏ＋）（Ｖｏ−）とが設置してある。
【００３７】
交流入力端子５−１，５−２は、正面パネル上部に配設されて１００〜２４０ＶＡＣの外部商用交流を電源回路９に導くものであり、交流入力バスライン（Ｖｉｎ＋）、（Ｖｉｎ−）に接続してある。また。直流出力端子６−１，６−２は、正面パネル下部に配設されて２４ＶＤＣを出力するものであって、プラス側＋と、マイナス側−とで一対の直流出力端子構成になっている。
【００３８】
そして、直流出力端子６−１（プラス側＋）は直流出力バスライン（Ｖｏ＋）に、直流出力端子６−２（マイナス側−）は直流出力バスライン（Ｖｏ−）に接続してある。
【００３９】
電源回路９は、交流入力端子５−１，５−２を介して外部から入力されてくる交流を安定化した２４ＶＤＣの出力電圧に変換して直流出力端子６−１，６−２を介して外部に出力するようになっており、この電源回路９は、一例としてスイッチング電源回路である。
【００４０】
この電源回路９の入力側は交流入力バスライン（Ｖｉｎ＋）、（Ｖｉｎ−）に接続してあり、また、電源回路９の出力側は直流出力バスライン（Ｖｏ＋）（Ｖｏ−）に接続してある。
【００４１】
そして、第１〜第３の電源ユニット１〜３は、その一方の側面パネル側に、入力側の電源コネクタとして交流入力側コネクタ１６Ａ−１、１６Ａ−２と、直流入力側コネクタ１７Ａ−１、１７Ａ−２とを有し、また、他方の側面パネル側に、出力側の電源コネクタとして、交流出力用の交流出力側コネクタ１６Ｂ−１、１６Ｂ−２と、直流出力用の直流出力側コネクタ１７Ｂ−１、１７Ｂ−２とを有しており、交流入力側コネクタ１６Ａ−１、１６Ａ−２と交流出力側コネクタ１６Ｂ−１、１６Ｂ−２とは交流入力バスライン（Ｖｉｎ＋）、（Ｖｉｎ−）を介して互いに接続してあり、直流入力側コネクタ１７Ａ−１、１７Ａ−２と直流出力側コネクタ１７Ｂ−１、１７Ｂ−２とは、直流出力バスライン（Ｖｏ＋）（Ｖｏ−）を介して互いに接続してある。
【００４２】
停電検出ユニット４は、その正面に、交流入力があったときに点灯表示する動作表示ＬＥＤ７と、停電検出出力の検出電圧を可変設定するために操作される電圧設定手段としての電圧調整ボリウム８とを備えている。
【００４３】
この停電検出ユニット４は、交流入力用の検出コネクタである交流入力側コネクタ２３Ａ−１，２３Ａ−２と、第１，第２の停電検出出力を出力するための出力端子２４−１，２４−２および共通端子２４−３を備えている。
【００４４】
この実施の形態の停電検出ユニット４は、停電として検出する検出電圧および検出時間が異なる第１，第２の停電検出出力を出力する停電検出手段を備えている。
【００４５】
この停電検出手段は、図２に示されるように、交流入力側コネクタ２３Ａ−１，２３Ａ−２を介して交流入力バスライン（Ｖｉｎ＋）、（Ｖｉｎ−）に接続される電源回路１０と、この電源回路１０からの直流電圧が、検出すべき検出電圧にそれぞれ対応する第１，第２の所定電圧以下になったときにそれぞれ出力する第１，第２の停電検出回路１１，１２と、第１，第２の停電検出回路１１，１２の出力から第１，第２の所定時間経過後にそれぞれ出力する第１，第２の時限回路１３，１４と、第１，第２の時限回路１３，１４の出力に応答して第１，第２の停電検出出力を外部にそれぞれ出力する第１，第２の出力回路１８，１９とを備えている。
【００４６】
停電検出ユニット４の電源回路１０は、例えば内部にトランスを備え、このトランスにより検出コネクタである交流入力側コネクタ２３Ａ−１，２３Ａ−２を介して入力される電源ユニット１ないし３側からの交流入力を、例えば、１０数Ｖ程度の直流電圧に変換するとともに、そのトランスの一次側巻線と二次側巻線とで二次側巻線以降の回路と絶縁を図れるようになっている。
【００４７】
第１，第２の停電検出回路１１，１２は、電源回路１０からの直流電圧と第１，第２の所定電圧とを内部のコンパレータでそれぞれ比較して第１，第２の所定電圧以下になったときに、出力するものである。この実施の形態では、第１の停電検出回路１１の第１の所定電圧は、上述の電圧調整ボリウム８によって可変設定できるものである。この電圧調整ボリウム８による所定電圧の設定は、例えば、該ボリウム８の周囲に配設された図示しない目盛りを用いて設定する。
【００４８】
第１，第２の時限回路１３，１４は、第１，第２の停電検出回路１１，１２の出力から第１，第２の所定時間がそれぞれ経過したとき、すなわち、第１，第２の停電検出回路１１，１２による検出状態が、第１，第２の所定時間継続したときに、それぞれ出力するものであり、第１の所定時間は、例えば、１０ｍｓあるいは２０ｍｓであり、第２の所定時間は、例えば、５ｍｓである。なお、所定時間を、例えば、１０ｍｓまたは２０ｍｓで切換え設定できるようにしもよい。
【００４９】
第１，第２の出力回路１８，１９は、出力用のトランジスタ１８１，１９１と、ツェナーダイオード１８２，１９２とをそれぞれ備えており、当該停電検出ユニット４の下部の検出出力端子２４−１〜２４−３から第１，第２の停電検出出力としてオープンコレクタ出力を外部に出力する。
【００５０】
第１〜第３の電源ユニット１〜３及び停電検出ユニット４は、ＤＩＮレール等の支持レール２９に装着されていて、例えば、この順序に並列接続されている。
【００５１】
すなわち、第１の電源ユニット１の右隣に第２、第３の電源ユニット２、３と停電検出ユニット４とがこの順序に配置してあり、第１の電源ユニット１の交流出力側コネクタ１６Ｂ−１、１６Ｂ−２、直流出力側コネクタ１７Ｂ−１、１７Ｂ−２は、第２の電源ユニット２の交流入力側コネクタ１６Ａ−１、１６Ａ−２、直流入力側コネクタ１７Ａ−１、１７Ａ−２にそれぞれ接続してある。
【００５２】
そして、第３の電源ユニット３の交流出力側コネクタ１６Ｂ−１、１６Ｂ−２は、停電検出ユニット４の交流入力側コネクタ２３Ａ−１、２３Ａ−２に接続してある。
【００５３】
したがって、第１〜第３の電源ユニット１〜３および停電検出ユニット４の個々の交流入力バスライン（Ｖｉｎ＋）、（Ｖｉｎ−）は、この順序に連なって、一本化されており、また第１〜第３の電源ユニット１〜３の個々の直流出力バスライン（Ｖｏ＋）、（Ｖｏ−）は、この順序に連なって、一本化されている。
【００５４】
そして、第１の電源ユニット１の交流入力端子５−１、５−２には外部商用交流電源３９が接続してあり、例えば、第３の電源ユニット３の直流出力端子６−１、６−２には、負荷２５が接続してある。
【００５５】
以上の構成において、第１の電源ユニット１の交流入力端子５−１、５−２から入力された交流は、第２、第３の電源ユニット２，３のそれぞれに供給される結果、各電源ユニット１〜３の直流出力端子６−１、６−２のそれぞれから直流を個別に出力することができ、この実施の形態では、第３の電源ユニット３の直流出力端子６−１、６−２に接続されている負荷２５に直流を出力することができる。
【００５６】
第１〜第３の電源ユニット１〜３からなる電源装置の交流入力は、停電検出ユニット４に供給されており、停電検出ユニット４では、第１，第２の停電検出回路１１，１２および第１，第２の時限回路１３，１４に設定されている所定電圧および所定時間に対応する停電を検出して第１，第２の停電検出出力を外部に出力する。
【００５７】
なお、停電として検出する検出電圧としては、交流入力が１００Ｖ系では、例えば、７０〜８０Ｖ程度の範囲で設定し、交流入力が２００Ｖ系では、例えば、１４０〜１６０Ｖ程度の範囲で設定するようにしてもよい。
【００５８】
図３は、この実施の形態の停電検出ユニット４の第１，第２の停電検出出力のタイミングチャートであり、同図（ａ）は交流入力、同図（ｂ）は第１の停電検出出力、同図（ｃ）は第２の停電検出出力をそれぞれ示している。
【００５９】
この図３においては、ｔ０の時点で停電が生じ、電源回路１０からの直流電圧が、同時に第１，第２の停電検出回路１１，１２の第１，第２の所定電圧以下になった場合を示している。第１の時限回路１３では、第１の停電検出回路１１の出力から第１の所定時間Ｔ１が経過後に、第１の出力回路１８を介してオフとなる第１の停電検出出力を外部に出力する。また、第２の時限回路１４では、第２の停電検出回路１２の出力から第２の所定時間Ｔ２が経過した後に、第２の出力回路１９を介してオフとなる第２の停電検出出力を外部に出力する。
【００６０】
図４は、瞬断時における停電検出ユニット４の第１，第２の停電検出出力のタイミングチャートであり、図３に対応するものである。
【００６１】
上述のようにして第１，第２の停電検出出力を外部に出力した後、交流入力がｔ１の時点で直ちに復帰すると、その復帰した時点ｔ１から一定時間Ｔ３、例えば、２ｍｓの間、その停電検出出力の状態を保持した後に、それぞれ同時に復帰する。
【００６２】
このように停電検出ユニット４では、電源ユニット１〜３が接続されてなる電源装置の交流入力の停電を検出することができ、しかも、停電として検出する検出電圧および検出時間が異なる２種類の停電検出出力が得られるので、それらの出力を組み合わせるといったことが可能となる。しかも、停電として検出する検出電圧を、電圧調整ボリウム８によって可変設定できるので、ユーザの要求に対応することができる。
【００６３】
さらに、電源ユニット３と停電検出ユニット４とは、出力側コネクタ１６Ｂ−１，１６Ｂ−２と検出ユニット側コネクタ２３Ａ−１，２３Ａ−２とで結合して、交流入力のバスラインをワンタッチで接続できるために、電源ユニット３と停電検出ユニット４との間の配線が不要になり、その分省工数になる。
【００６４】
上述の実施の形態では、停電として検出する検出電圧のみを、電圧調整ボリウム８によって可変設定したけれども、本発明の他の実施の形態として、図５および図６に示されるように、例えば、第１の時限回路１３の第１の所定時間を可変設定する時間設定手段としての時間調整ボリウム２６を設け、この時間調整ボリウム２６によって、第１の時限回路１３の時定数を変化させることにより、停電として検出する時間を可変設定できるようにしてもよい。
【００６５】
また、上述の実施の形態では、２種類の停電検出出力を得るように構成したけれども、本発明の他の実施の形態として、図７に示されるように、３種類以上の停電検出出力を得られるように、停電検出回路８−１〜８−ｎ、時限回路１３−１〜１３−ｎおよび出力回路１８−１〜１８−ｎをそれぞれｎ個設けてもよい。また、複数の停電検出出力端子２４−１〜２４−ｎをコネクタにまとめて外部に出力できるようにしてもよい。
【００６６】
（実施の形態２）
図８は本発明に他の実施の形態に係る停電検出ユニット４−３および電源ユニット１〜３からなる電源装置の正面図であり、図９は、その停電検出ユニット４−３内部の構成図であり、上述の図１および図２に対応する部分には、同一の参照符号を付す。
【００６７】
上述の実施の形態では、停電として検出する検出電圧に対応する所定電圧や所定時間を、調整ボリウム８，２６によって可変設定したのに対して、この実施の形態では、所定電圧や所定時間を、その設定値を確認しながらキースイッチで設定できるようにしたものである。
【００６８】
すなわち、停電検出ユニット４−３は、その正面に、交流入力があったときに点灯表示する動作表示ＬＥＤ７と、停電として検出する検出電圧および検出時間を可変設定するために操作されるアップおよびダウンの設定用スイッチ２７，２８と、設定モードを切換える設定モード切換えスイッチ２９と、設定値等を表示するＬＥＤ表示器３０の表示セグメントが臨む表示窓３１と、いずれの設定モードであるかを点灯表示する４個のモード表示ＬＥＤ３２〜３５とを備えている。
【００６９】
この実施の形態の停電検出ユニット４−３では、停電として検出する検出電圧を可変設定できるとともに、停電として検出する検出時間を３種類可変設定できるものであり、電源回路１０と、上述のスイッチ２７〜２９によって設定された検出電圧および検出時間に基づいて、第１〜第３の出力回路３６〜３８を介して第１〜第３の停電検出出力を出力するとともに、ＬＥＤ表示器３０に設定値等を表示するマイクロコンピュータ４０を備えている。
【００７０】
図１０は、設定モード切換えスイッチ２９による設定モードおよび設定用スイッチ２７，２８による設定値の表示を示す図である。
【００７１】
この実施の形態では、設定モード切換えスイッチ２９の切換え操作に応じて、例えば、同図（ａ）〜（ｄ）に示されるように、検出電圧設定モード、第１の検出時間設定モード、第２の検出時間設定モード、第３の検出時間設定モードにサイクリックに切り換わり、ＬＥＤ表示器３０に、設定用スイッチ２７，２８によって設定される検出電圧、第１〜第３の検出時間がＬＥＤ表示器３０に表示されるとともに、対応するモード表示ＬＥＤ３２〜３５が点灯する。
【００７２】
これによって、所望の設定モードを選択し、所望の検出電圧や検出時間を設定することができる。
【００７３】
マイクロコンピュータ４０は、このようにして設定された検出電圧および第１〜第３の検出時間に従って停電を検出して第１〜第３の出力回路３６〜３８を介して第１〜第３の停電検出出力を外部に出力する。
【００７４】
すなわち、マイクロコンピュータ４０は、電源回路１０からの直流電圧が、設定された検出電圧に対応する所定電圧以下になり、その状態が第１〜第３の検出時間をそれぞれ経過した時点で第１〜第３の出力回路３６〜３８を介して第１〜第３の停電検出出力を外部に出力するものである。
【００７５】
この実施の形態では、設定モードを選択してＬＥＤ表示器３０で設定値を確認しながら停電として検出する検出電圧や検出時間を容易に設定することができる。
【００７６】
（その他の実施の形態）
本発明の他の実施の形態として、図１１に示されるように、交流入力端子４１−１，４１−２を追加し、この交流入力端子４１−１，４１−２から入力した交流入力の停電を検出するようにしてもよく、この場合には、上述の電源ユニット１〜３以外の通常の電源装置に対応できることになる。
【００７７】
また、本発明の他の実施の形態として、図１２に示されるように、電源ユニット３の直流出力側コネクタ１７Ｂ−１，１７Ｂ−２に結合する直流入力側コネクタ４２Ａ−１，４２Ａ−２および直流出力端子４３−１，４３−２を設け、当該停電検出ユニット４−５に負荷２５を接続するようにしてもよい。
【００７８】
本発明の他の実施の形態として、交流入力が１００Ｖ系であるか２００Ｖ系であるかに応じて、停電検出ユニットに設けたスイッチの切換えや端子間の短絡等によって、当該停電検出ユニットの電源回路１０のトランスの１次側の入力を切換えることにより、１次側と２次側との巻き線の比率を切換えていずれの交流入力にも対応できるようにしてもよい。
【００７９】
【発明の効果】
以上のように本発明によれば、電源ユニットの複数が縦続接続可能な前記電源ユニットの電源コネクタに、当該停電検出ユニットの検出ユニット側コネクタを接続することにより、該検出ユニット側コネクタを介して電源ユニットの交流入力が入力されることになり、この交流入力から停電状態を検出するので、省配線で電源装置の交流入力の停電を検出できることになる。
【００８０】
また、停電として検出すべき検出電圧あるいは検出時間を可変設定できることになり、ユーザの要求に応じた停電検出が可能となる。
【図面の簡単な説明】
【図１】本発明の一つの実施の形態に係る停電検出ユニットおよび電源装置の正面図である。
【図２】図１の内部構成を示す図である。
【図３】図１の停電検出のタイミングチャートである。
【図４】瞬断時のタイミングチャートである。
【図５】本発明の他の実施の形態の図１に対応する正面図である。
【図６】図５の内部構成を示す図である。
【図７】本発明の更に他の実施の形態の停電検出ユニットの構成図である。
【図８】本発明の他の実施の形態の図１に対応する正面図である。
【図９】図８の停電検出ユニットの内部構成を示す図である。
【図１０】各設定モードにおける表示を示す図である。
【図１１】本発明の他の実施の形態の内部構成を示す図である。
【図１２】本発明の更に他の実施の形態の内部構成を示す図である。
【図１３】従来例の正面図である。
【図１４】図１３の内部構成を示す図である。
【符号の説明】
１〜３                    電源ユニット
４，４−１〜５            停電検出ユニット
５−１，５−２            交流入力端子
６−１，６−２            直流出力端子
８                        電圧調整ボリウム
１０                      電源回路
１１，１２                停電検出回路
１３，１４                時限回路
１８，１９，３６〜３８    出力回路
１６Ａ−１，１６Ａ−２    交流入力側コネクタ
１６Ｂ−１，１６Ｂ−２    交流出力側コネクタ
１７Ａ−１，１７Ａ−２    直流入力側コネクタ
１７Ｂ−１，１７Ｂ−２    直流出力側コネクタ
２３Ａ−１，２３Ａ−２    検出コネクタ
２６                      時間調整ボリウム
４０                      マイクロコンピュータ
【図１】
2004173333.tif 000003
【図２】
2004173333.tif 000004
【図３】
2004173333.tif 000005
【図４】
2004173333.tif 000006
【図５】
2004173333.tif 000007
【図６】
2004173333.tif 000008
【図７】
2004173333.tif 000009
【図８】
2004173333.tif 000010
【図９】
2004173333.tif 000011
【図１０】
2004173333.tif 000012
【図１１】
2004173333.tif 000013
【図１２】
2004173333.tif 000014
【図１３】
2004173333.tif 000015
【図１４】
2004173333.tif 000016